(57)【要約】【課題】画像形成装置等の電子機器の設定初期化の利便性を向上させる技術を提供する。【解決手段】クライアント端末７０のウェブブラウザー処理部７１は、ウェブブラウザーアプリケーション及びそれと連動して機能するアプリケーションである。ウェブブラウザー処理部７１は、ウェブストレージ部７５と設定値制御部８０とを備える。ウェブストレージ部７５は、ウェブストレージ機能を実行する。設定値制御部８０は、設定値記録部８１と、設定値入出力部８２とを備える。設定値記録部８１は、ＭＦＰ１０の設定項目の初期化グルーピングを行い初期化グループデータを記録する。【選択図】図４
2017049769.tif 000002
【特許請求の範囲】
【請求項１】
外部の端末と、前記外部の端末において表示させる設定画面用のウェブページを前記外部の端末からの要求を受けて送信する電子機器とを備え、
前記外部の端末は、複数の設定項目のうち選択した設定項目をグループ化し、前記グループ化した設定項目の設定値を１つの設定値データとして記録する設定値記録部を備え、
前記電子機器は、設定を初期化する場合に、前記設定値データを前記外部の端末より取得し、前記設定値データのみを設定の初期化に反映させる設定管理部を備えることを特徴とする機器システム。
【請求項２】
前記設定値記録部は、前記設定項目に対する設定動作の履歴を前記設定値データとして記録することを特徴とする請求項１に記載の機器システム。
【請求項３】
外部の端末と、前記外部の端末において表示させる設定画面用のウェブページを前記外部の端末からの要求を受けて送信する電子機器とを備える機器システムにおける前記電子機器の初期値変更方法であって、
前記外部の端末が、複数の設定項目のうち選択した設定項目をグループ化し、前記グループ化した設定項目の設定値を１つの設定値データとして記録する設定値記録工程と、
前記電子機器が、設定を初期化する場合に、前記設定値データを前記外部の端末より取得し、前記設定値データのみを設定の初期化に反映させグループ初期化反映工程と、
を備えることを特徴とする初期値変更方法。
【請求項４】
前記グループ初期化反映工程は、前記設定項目に対する設定動作の履歴を前記設定値データとして記録することを特徴とする請求項３に記載の初期値変更方法。
【発明の詳細な説明】
【技術分野】
【０００１】
本発明は、機器システム及び初期値変更方法に係り、例えば、設定を初期化する機能を有する機器システム及びそのような機器システムにおける初期値変更方法に関する。
【背景技術】
【０００２】
従来より、画像形成装置等の電子機器では、ユーザーはそれぞれの使用目的に合わせて、各種の機能（設定項目）をカスタマイズすることができる。また、電子機器に不具合が発生した場合、各設定項目を工場出荷の状態に初期化する機能が備わる。そのような機能として、例えば、設定項目を機能毎にグループ化して、グループ単位で設定の初期化を行うこと可能とする技術が知られている（例えば特許文献１参照。）。
【先行技術文献】
【特許文献】
【０００３】
【特許文献１】特開２０００−１４１８３３号公報
【発明の概要】
【発明が解決しようとする課題】
【０００４】
ところで、電子機器等の設定に関して、機器の管理者だけで無くユーザー自身が行う場合が多くなっており、ユーザーの利便性を向上させる技術が求められていた。特許文献１に開示の技術では、近年のユーザーに求められる設定作業に対して不十分な点もあり、別の技術が求められていた。また、管理者等でも、担当する処理対象機器の多様化等の状況もあり、全ての機器に対する設定を確実に記憶しておくことは現実的ではなく、支援技術が求められていた。
【０００５】
本発明はこのような状況に鑑みてなされたものであり、上記課題を解決できる技術を提供することを目的とする。
【課題を解決するための手段】
【０００６】
本発明の機器システムは、外部の端末と、前記外部の端末において表示させる設定画面用のウェブページを前記外部の端末からの要求を受けて送信する電子機器とを備え、前記外部の端末は、複数の設定項目のうち選択した設定項目をグループ化し、前記グループ化した設定項目の設定値を１つの設定値データとして記録する設定値記録部を備え、前記電子機器は、設定を初期化する場合に、前記設定値データを前記外部の端末より取得し、前記設定値データのみを設定の初期化に反映させる設定管理部を備える。
また、前記設定値記録部は、前記設定項目に対する設定動作の履歴を前記設定値データとして記録してもよい。
本発明は、外部の端末と、前記外部の端末において表示させる設定画面用のウェブページを前記外部の端末からの要求を受けて送信する電子機器とを備える機器システムにおける前記電子機器の初期値変更方法であって、前記外部の端末が、複数の設定項目のうち選択した設定項目をグループ化し、前記グループ化した設定項目の設定値を１つの設定値データとして記録する設定値記録工程と、前記電子機器が、設定を初期化する場合に、前記設定値データを前記外部の端末より取得し、前記設定値データのみを設定の初期化に反映させグループ初期化反映工程と、を備える。
また、前記グループ初期化反映工程は、前記設定項目に対する設定動作の履歴を前記設定値データとして記録してもよい。
【発明の効果】
【０００７】
本発明によると、画像形成装置等の電子機器の設定初期化の利便性を向上させる技術を提供することができる。
【図面の簡単な説明】
【０００８】
【図１】実施形態に係る、電子機器システムの構成を示すブロック図である。
【図２】実施形態に係る、ＭＦＰの構成を示すブロック図である。
【図３】実施形態に係る、設定管理部の構成を示すブロック図である。
【図４】実施形態に係る、クライアント端末の構成を示すブロック図である。
【図５】実施形態に係る、初期化グルーピングの際に表示される初期化カスタマイズ設定画面の例である。
【図６】実施形態に係る、初期化グルーピングした設定値を初期化する場合にクライアント端末に表示される工場出荷時初期化画面の例である。
【発明を実施するための形態】
【０００９】
以下、本発明を実施するための形態（以下、「実施形態」という）について図面を参照して説明する。
【００１０】
図１は、本実施形態に係る電子機器システム１の構成を示すブロック図である。電子機器システム１は、ＭＦＰ（Multifunction Peripheral）１０と、プリンター１１と、クライアント端末７０とを備える。ＭＦＰ１０やプリンター１１は、ネットワーク２を介して接続されている。
【００１１】
ユーザーや管理者は、クライアント端末７０を用いてネットワーク２経由でＭＦＰ１０やプリンター１１の各種設定を行うことができる。また、その設定作業においては、ウェブページの画面、すなわちＨＴＭＬベースの設定画面が用いられる。以下では、ＭＦＰ１０について例示する。
【００１２】
図２は、ＭＦＰ１０の構成を示すブロック図である。ＭＦＰ１０は、印刷機能、スキャン機能、ＦＡＸ機能等、複数の機能を備える。ＭＦＰ１０は、制御部２０と、通信処理部２２と、印刷実行処理部３１と、スキャン実行処理部３２と、ユーザーＩＦ４０と、記憶部２４と、設定管理部６０とを備える。
【００１３】
通信処理部２２は、有線ＬＡＮや無線ＬＡＮ、ＵＳＢ通信等の通信インターフェイスであり、ネットワーク２を介してクライアント端末７０と通信可能に接続される。
【００１４】
制御部２０は、ＭＰＵ（Micro-Processing Unit）、ＲＯＭ（Read Only Memory）、ＲＡＭ（Random Access Memory）等を備え、各構成要素を統括的に制御することで、印刷出力処理や原稿等の読み取り処理、構成要素の動作のステータス監視処理、ユーザー管理、動作制御、設定管理等を行う。
【００１５】
記憶部２４は、例えば、大容量のＨＤＤやＳＳＤ等の内蔵記憶装置であって、印刷実行処理部３１における印刷ジョブやスキャン実行処理部３２からの送信ジョブを、実行前に一旦蓄積する。蓄積されたデータは、特定期間保持される。
【００１６】
印刷実行処理部３１は、一般的な印刷実行機能を有し、制御部２０からの指示により印刷動作を実行する。スキャン実行処理部３２は、一般的な構成であって、スキャナー、プラテンガラス、原稿読取スリット等を備え、原稿の読み取り処理を実行する。
【００１７】
ユーザーＩＦ４０は、表示パネル部４１と、操作ボタン部４２を備える。表示パネル部４１は、ＭＦＰ１０に関するステータス情報や操作情報等を表示する。操作ボタン部４２は、ＭＦＰ１０に対するユーザー操作を受け付ける。なお、操作ボタン部４２は、表示パネル部４１と一体に構成されるタッチパネル式のＩＦや物理的ボタンのＩＦがあり、それらが組み合わさったインターフェイスであってもよい。
【００１８】
設定管理部６０は、クライアント端末７０からＭＦＰ１０への設定を行う場合に、その設定の管理を行う。
【００１９】
図３は、設定管理部６０の構成を示すブロック図である。設定管理部６０は、クライアント管理部６１と、テンプレート管理部６２と、設定部６３と、初期化カスタマイズ部６４とを備える。
【００２０】
クライアント管理部６１は、クライアント端末７０からのアクセスを管理する。すなわち、クライアント管理部６１は、クライアント端末７０の登録・認証処理を行い、クライアント端末７０でＨＴＭＬベース（ウェブページベース）の設定画面を表示させクライアント端末７０からの設定処理を受ける場合に、設定処理を管理する。なお、当然に、クライアント管理部６１の機能は、制御部２０が行うユーザー管理の機能と共通化されてもよい。
【００２１】
テンプレート管理部６２は、クライアント端末７０でＨＴＭＬベースの設定画面を表示させるために、設定画面用のテンプレートを保持する。
【００２２】
設定部６３は、クライアント端末７０から設定画面へのアクセスがあると、すなわち、ウェブページベースの設定画面による設定処理実行の要求があると、テンプレート管理部６２に保持されているテンプレートをクライアント端末７０へ送信する。
【００２３】
初期化カスタマイズ部６４は、初期化処理の際に、ユーザーがクライアント端末７０でグルーピングした設定項目についてのみ初期化を行い、他の設定項目についてはそのままの値を保持する処理を行う。
【００２４】
一般に、初期化処理が実行されると、工場出荷時に設定された設定値に初期化される。しかし、一部の設定項目についてはそのままの設定値を保持し、他の設定項目については初期化をしたいという場合がある。そこで本実施形態では、初期化を実行する設定項目としてユーザー等が選択した設定項目をグループ化し、グループ化したデータ（以下、「初期化グループデータ」という。）をクライアント端末７０（後述のウェブストレージ部７５）に保持する。ユーザーがカスタマイズした初期化グループを初期化する場合には、ＭＦＰ１０の初期化カスタマイズ部６４は、ネットワーク２経由またはＵＳＢメモリー等の記録媒体経由で上述の初期化グループデータをインポートし、対象の設定項目のみを初期化する。
【００２５】
図４は、クライアント端末７０の構成を示すブロック図である。ここでは、ＭＦＰ１０の初期化処理、特に、設定項目の初期化グルーピング処理に着目して示している。クライアント端末７０は、ウェブブラウザーを搭載したＰＣである。クライアント端末７０は、ウェブブラウザー処理部７１と、通信処理部７２と、表示部７３とを備える。
【００２６】
通信処理部７２は、有線ＬＡＮや無線ＬＡＮ、ＵＳＢ通信等の通信インターフェイスであり、ネットワーク２を介してＭＦＰ１０と通信可能に接続される。
【００２７】
ウェブブラウザー処理部７１は、ウェブブラウザーアプリケーション及びそれと連動して機能するアプリケーションである。ウェブブラウザー処理部７１は、ウェブストレージ部７５と設定値制御部８０とを備える。
【００２８】
ウェブストレージ部７５は、ウェブストレージ機能（sessionStorageとlocalStorage）を実行する。
【００２９】
設定値制御部８０は、設定値記録部８１と、設定値入出力部８２とを備える。設定値記録部８１は、上述したＭＦＰ１０の設定項目の初期化グルーピングを行い初期化グループデータを記録する。
【００３０】
具体的には、設定値記録部８１は、初期化対象のグルーピングすなわち初期化グループデータとして、ユーザ操作を履歴として残すことで自動的に記録する。この初期化グループデータを記録し利用することで、ウェブページの各設定項目に対して部分的に工場出荷時設定に初期化したり、デバイス（ＭＦＰ１０やプリンター１１等のネットワーク対応電子機器）が持つ初期化時のデフォルト値を変更する。
【００３１】
初期化グループデータとして、変更した設定値名称、変更後の値等が記録される。変更した設定値名称は、ウェブページ上で設定値を識別可能なＩＤと関連づけて記録される。また、変更後の値は、初期化時のデフォルト値と関連づけて記録される。
【００３２】
設定値入出力部８２は、初期化グループデータのエクスポート処理及びインポート処理を行う。初期化グループデータのエクスポート処理とは、初期化グループデータのバックアップ処理であり、内蔵又は外部の記録メディアに出力し記録する。初期化グループデータのインポート処理とは、エクスポート処理によって出力されていたデータを読み込み初期化グループデータを復元する。エクスポートされた初期化グループデータは、他のＭＦＰ１０等のデバイスでも利用可能であって、同じグループ設定で初期化を実行することができる。
【００３３】
図５は、初期化グルーピングの際に表示される初期化カスタマイズ設定画面Ａ１の例である。図示のように、初期化カスタマイズ設定画面Ａ１では、初期化グルーピングの開始及び終了を確定する「グルーピング開始」ボタンＡ１１と「グルーピング終了」ボタンＡ１２が設けられている。「グルーピング開始」ボタンＡ１１が押下されるとユーザーの操作の記録が開始する。「グルーピング終了」ボタンＡ１２が押下されるとユーザーの操作の記録が終了する。つまり、「グルーピング開始」ボタンＡ１１の押下から「グルーピング終了」ボタンＡ１２の押下までのユーザーの操作、すなわち設定値の変更が変更履歴として蓄積される。変更履歴が上述の初期化グループデータとなる。蓄積には例えば上述の様にウェブストレージ機能が利用される。
【００３４】
グルーピングデータである初期化グループデータをエクスポートする場合には、管理者やユーザーは、ファイル入力欄Ａ１３に対象の初期化グループデータのファイル名、ここでは「NotesData.dat」を入力して、「エクスポート」ボタンＡ１５を押下すると、特定の記録メディアに出力される。また、初期化グループデータをインポートする場合には、ユーザーは、ファイル入力欄Ａ１３でファイルを特定し「インポート」ボタンＡ１４を押下する。その結果、初期化グループデータに記録されている変更履歴情報が復元される。
【００３５】
図６は、初期化グルーピングした設定値を初期化したい場合にクライアント端末７０に表示される工場出荷時初期化画面Ｂ１の例である。図示のように、ユーザーが、「初期化」ボタンＢ１１を押下することで、クライアント端末７０に蓄積したこれらの履歴情報（初期化グループデータ）がＭＦＰ１０に送信される。ＭＦＰ１０ではでは、クライアント端末７０から送信されてきた、初期化グループデータを各設定項目に反映させ、対象の設定項目のみを初期化させる。
【００３６】
以上、本実施形態によると、管理者やユーザー自身が自由に初期化したい設定項目（設定値や設定対象）をグルーピングできるため、例えば「メール設定」や「ネットワーク設定」といったようなカテゴリごとの初期化設定を容易にカスタマイズすることができる。また、クライアントサイド（クライアント端末７０）に履歴情報として初期化対象の情報を蓄積するため、サーバーサイド（ＭＦＰ１０、プリンター１１）の記憶領域を圧迫することなく複数のクライアントに対して初期化のカスタマイズが可能となる。
【００３７】
以上、本発明を実施形態をもとに説明した。この実施形態は例示であり、それらの各構成要素の組み合わせにいろいろな変形例が可能なこと、またそうした変形例も本発明の範囲にあることは当業者に理解されるところである。
【符号の説明】
【００３８】
１  電子機器システム
２  ネットワーク
１０  ＭＦＰ
１１  プリンター
２０  制御部
２２  通信処理部
２４  記憶部
３１  印刷実行処理部
３２  スキャン実行処理部
４０  ユーザーＩＦ
４１  表示パネル部
４２  操作ボタン部
６０  設定管理部
６１  クライアント管理部
６２  テンプレート管理部
６３  設定部
６４  初期化カスタマイズ部
７０  クライアント端末
７１  ウェブブラウザー処理部
７２  通信処理部
７３  表示部
７５  ウェブストレージ部
８０  設定値制御部
８１  設定値記録部
８２  設定値入出力部
【図１】
2017049769.tif 000003
【図２】
2017049769.tif 000004
【図３】
2017049769.tif 000005
【図４】
2017049769.tif 000006
【図５】
2017049769.tif 000007
【図６】
2017049769.tif 000008